(57)【特許請求の範囲】
【請求項１】
パネル形状の家具アイテムである前側パネル（４）を、それに対して直角に整列される、さらなるパネル形状の家具アイテムである引き出し（５）の側壁フレーム（８）に着脱可能に固定するための連結具（１）であって、該連結具が、ロックデバイス（３）と着脱可能に係合する接触部が設けられているキャリアデバイス（２）を有し、前記ロックデバイスが、
ａ）取付ベース部（２１）が取付面（１６）に対して直角に延びている点と、 
ｂ）バネ（２８）によって荷重が加えられているロックレバー（２２）が、前記取付ベース部（２１）に移動可能にリンクされ、バネ力の下でリリース位置からロック位置へ移動可能であり、前記バネ力に反してロック位置からリリース位置へ移動可能である点と、 
ｃ）前記ロックレバーがフック部（２３）をさらに有し、該フック部（２３）が、前記ロック位置において、前記キャリアデバイス（２）上の対応するピン（１３）を裏側から係合させるために用いられる点と、 
ｄ）前記ロックレバー（２２）がピボット軸受（２４）により前記取付ベース部（２１）にリンクされている点と、 
ｅ）手動で動かすことができるリリースレバー（２９）が設けられている点とを特徴として有している連結具（１）において、 
ｆ）前記取付ベース部が、前記側壁フレーム（８）のフレームアダプター（１０）に取り付けられまたは配置され、手動で動かすことができる前記リリースレバー（２９）が、前記ロックレバー（２２）と前記取付ベース部（２１）とにリンクされ、前記フレームアダプター（１０）内の自由空間（２０）の中まで延ばされることにより、前記自由空間（２０）内でユーザーの手により動かすことができるように構成され、
前記ロックデバイス（３）がベースユニットとしてベース角部材（１４）を有し、該ベース角部材（１４）が前記フレームアダプター（１０）の脚の取付面（１６）に取付脚により取り付けられ、前記取付面が設置位置における上側の面であり、前記リリースレバー（２９）が前記取付面（１６）内の開口部（１７）を通って前記フレームアダプター（１０）内の自由空間（２０）の中まで延びていることを特徴とする連結具。 
【請求項２】
第１の結合リンク（４４）が、前記取付ベース部（２１）に配置され、前記ロックレバー（２２）内の第２の結合リンク（５０）と重なっており、ピン（３３）が、両方の結合リンク（４４、５０）を貫通し、該両方の結合リンク（４４、５０）内において移動可能に構成されていることを特徴とする請求項１に記載の連結具。
【請求項３】
前記第１の結合リンクが前記取付ベース部（２１）内の円弧形状の結合リンク（４４）であり、前記第２の結合リンクが前記ロックレバー（２２）内の角度を有した結合リンク（５０）であり、ピン（５３）が過度に押しつけられうる死点が前記角度を有した結合リンク（５０）によって形成されるように構成されていることを特徴とする請求項２に記載の連結具。
【請求項４】
前記ピン（３３）が、前記リリースレバー（２９）の開口部（３５）に配置されることを特徴とする請求項２または３に記載の連結具。
【請求項５】
前記ロックレバー（２２）が前記リリース位置と前記ロック位置との間で移動するときに前記ロックレバー（２２）が前記取付ベース部（２１）の結合リンク（４４）内において案内されるように、ピン（３３）にヘッド（３８）が形成されることを特徴とする請求項１乃至４のうちのいずれかに記載の連結具。
【請求項６】
リリースアーム（３１）を取付位置の下側から指で掴むことができるよう、前記リリースアーム（３１）が、前記自由空間（２０）を通って前記開口部（１７）の中にまで突出するように構成されていることを特徴とする請求項１乃至５のうちのいずれかに記載の連結具。
【請求項７】
前記リリースレバー（２９）がレバーアーム（３０）とリリースアーム（３１）とを有し、該リリースアーム（３１）が前記レバーアーム（３０）に対して直角をなして位置していることを特徴とする請求項１乃至６のうちのいずれかに記載の連結具。
【請求項８】
挟角を形成するレバーアーム（３０）とリリースアーム（３１）との間に制御面（５１）が配置されていることを特徴とする請求項１乃至７のうちのいずれかに記載の連結具。
【請求項９】
レバーアーム（３０）の１つの端部が、前記前側パネル（４）の近傍または前記キャリアデバイス（２）のうちの前記フック部（２３）に近い部分の近傍において前記取付ベース部（２１）にリンクされていることを特徴とする請求項１乃至８のうちのいずれかに記載の連結具。
【請求項１０】
前記ピボット軸受（２４）が遊びを有しており、該遊びは、前記ロックレバー（２２）が、バネ力の下で、前記ロックデバイス（３）の前記ピボット軸受（２４）内で少なくとも前記キャリアデバイス（２）にマウントするための取付方向（−Ｘ）に向かってまたはそれに対して平行に移動可能である大きさであることを特徴とする請求項１乃至９のうちのいずれかに記載の連結具。
【請求項１１】
前記遊びが、少なくとも０．２ｍｍであること特徴とする請求項１０に記載の連結具。
【請求項１２】
前記ロックレバー（２２）は一方側がマウントされるレバーであり、前記ピボット軸受（２４）が、前記ロックレバー（２２）における、前記キャリアデバイス（２）とは反対側の端部に設けられることを特徴とする請求項１乃至１１のうちのいずれかに記載の連結具。
【請求項１３】
前記ロックレバー（２２）が前記ピボット軸受（２４）を形成するためのピン（２５）により貫通されており、該ピンが、取付方向（−Ｘ）の遊びが０．３〜３ｍｍである直径を有した、取付ベース部（２１）内の窓形状の開口部（２６）をさらに貫通していることを特徴とする請求項１乃至１２のうちのいずれか一項に記載の連結具。
【請求項１４】
長方形の孔として開口部（２６）が設けられていることを特徴とする請求項１乃至１３のうちのいずれか一項に記載の連結具。
【請求項１５】
取付位置において、前記ロックレバー（２２）が常にフレームカバー（９）の中に完全に位置するように構成されていることを特徴とする請求項１乃至１４のうちのいずれか一項に記載の連結具。
【請求項１６】
前記取付ベース部（２１）および前記ロックレバー（２２）に取付用異形形状部（２７、４９）が形成され、これらの取付用異形形状部にバネ（２８）が固定されることを特徴とする請求項１乃至１５のうちのいずれか一項に記載の連結具。
【請求項１７】
バネ（２８）が、前記ロックレバー（２２）に対してある角度を形成して配置されて該ロックレバー（２２）をロック位置へと引っ張るように配置されていることを特徴とする請求項１乃至１６のうちのいずれか一項に記載の連結具。
【請求項１８】
前記ロックレバー（２２）が死点を越えて開放位置へと移動可能であるように構成されていることを特徴とする請求項１乃至１７のうちのいずれか一項に記載の連結具。
【請求項１９】
取付位置において、バネ（２８）の一方の端部が開口部（２６）の上方に固定され、他方の端部が、前記ピボット軸受（２４）と前記フック部（２３）との間のほぼ中央部に位置することを特徴とする請求項１乃至１８のうちのいずれか一項に記載の連結具。
【請求項２０】
プラスチックシュー（３９）が、前記リリースレバー（２９）のリリースアーム（３１）に取り付けられており、滑り面（５２）が、前記シューにおいて、ハンドル面（５３）と安全面（４０）との間の角領域(４１)に配置されており、前記リリースアーム（３１）を引く際、前記滑り面が、まず前記ロックレバー（２２）の角領域（４１）に当たり、前記プラスチックシュー(３９)が前記バネ力に対向して回転するように動作力が加えられたときのみ、前記角領域（４１）上を滑るように構成されていることを特徴とする請求項１乃至１９のうちのいずれか一項に記載の連結具。
【発明の詳細な説明】
【技術分野】
【０００１】
本発明は、請求項１の前提部分に記載のように、パネル形状の家具アイテム、とくに引き出しの前側パネルを、それに対してある角度、好ましくは直角に配置される、さらなるパネル形状の家具アイテム、とくに引き出しの側壁フレームに着脱可能に固定するための連結具に関するものである。
【背景技術】
【０００２】
欧州特許文献ＥＰ0066893号Ｂ１により汎用的な連結具が公知となっている。例示の連結具は、コンパクトに構成され、固定接続が、互いに接続されるべき２つのパネル形状の家具アイテム間にこの連結具を取り付けることにより実現することができ、連結具と一体化されたリリースレバーによってこの接続を再び簡単に解放することができるという特徴を有している。対応する支持ユニットを軸方向に摺動させることにより自動的に接続を行うことが可能であるということが有利な点である。
この取付システムのバネ特性は当該従来技術において有利な点とはあまり考えられない。というのは、接続領域に対する衝撃が比較的非弾性的に吸収されてしまい、極端な場合には、相互に接続されている家具アイテムを破損させてしまう恐れもあるからである。
【発明の概要】
【発明が解決しようとする課題】
【０００３】
欧州特許ＥＰ0066893号Ｂ１に記載のような「自動ロック機能」を備えているものの、解放にあたって、一体化されたリリースレバーを用いるのではなく、ネジ回しの如き別個のツールを用いて元の状態へと戻すことができるようになっている、ロックレバー内のレシーバーを用いる連結具が、欧州特許文献ＥＰ0470917号Ｂ１によりさらに公知となっている。
解放時にネジ回しをレシーバーの中へ軸方向に挿入することにより、ロック部材をロックレバーから移動させることができ、横断方向の力を加えることによってのみ解放パスの死点を横断させることができる。とくに、前側パネルの解放にあたって手にツールを常に持っていなければならないことは欠点である。
【課題を解決するための手段】
【０００４】
本発明の目的は、欧州特許文献ＥＰ0066893号Ｂ１に記載の汎用的な連結具をさらに改良することにある。
この目的は、請求項１および請求項１１の主題にかかる本発明によって達成される。
請求項１の特徴部分によれば、ベース部は、側面フレームのフレームアダプターに取り付けられまたは配置されており、手動で動かすことができるリリースレバーは、ロックレバーおよびベース部に連結され、ユーザーの手により自由空間内で動かすことができるようにフレームアダプター内の自由空間の中へと延びている。
請求項１に記載の主題により、リリースレバーがフレーム構造体内に実用的かつコンパクトに一体化されているので、ロックレバーの解放のためのネジ回しの如きツールを非常に有利な方法で取り除くことができる。
その結果、リリースレバーを引き出しの両側、すなわち両側のフレームで同時に働かせることができるので、ユーザーにより前側パネルを安全にかつ損傷させることなく解放することができるようになる。従って、本発明は、２つの側面フレームと、前側パネルと、上述の発明にかかる２つの連結具とを備えている引き出しをさらに提供している。
【０００５】
従属クレームに記載の変形例により、さらなる機能がリリースレバーと一体化され、このことにより連結具の取り扱い特性および安全特性が改良される。
請求項２によれば、第１の結合リンクが、取付ベース部に配置され、ロックレバー内の第２の結合リンクと重なるようになっており、ピンが、これら両方の結合リンクを貫通し、両方の結合リンクにおいて移動可能となっている。この特徴により、ロックレバーおよび取付ベース部の構成部材間における有利な相互作用が非常に簡単な方法で可能となる。
請求項３によれば、第１の結合リンクは、取付ベース部内の円弧形状の結合リンクであり、第２の結合リンクは、ロックレバー内の角度を有した結合リンクであり、ピンが過度に押しつけられうる死点が角度を有した結合リンクによって形成されている。その結果、ロックレバーのロック機能に必要となる機構を非常に簡単かつ確実な方法で実際に構築することができる。
リリースレバー（好ましくは、開口部）にピンを配置することが好ましく、このことにより、ロックレバーの結合リンクと取付ベース部の結合リンクとの相互作用に簡単な構造手段を備えたリリースレバーを含めることが可能となる。
また、ピンにヘッドが設けられて、ロックレバーが開放位置とロック位置との間で移動するときロックレバーが取付ベース部の結合リンク内を案内されるとさらに有利である。
【０００６】
請求項１乃至１０をさらに発展させたものであると考えうるが、独立した発明であるとも考えうる請求項１１の主題により、引き出し機構のロックレバーがそのピボット軸受の領域において弾性的に移動することができるようになるので、前側パネルに対する衝撃により前側パネルおよび場合によっては引き出し機構が損傷してしまう可能性が非常に減少される。
弾性を有する連結具は更に、調節時に接続を解放することを必要とすることなく、さらなるパネル形状の家具アイテムに対する前側パネル（それがそれぞれ回転可能である場合）の角度を調節することができる。というのは、ピボット軸受が前側パネルのそれぞれの移動を補償またはそれに対して対処することができるからである。このことは、ピボット軸受が、「遊びがない」ものとして当業者により考えられている固定支承として実際的に配置されている場合には可能ではない。
本発明の有利な実施形態は従属クレームに示されている。
【図面の簡単な説明】
【０００７】
図面に示されている実施形態を参照して本発明を詳細に説明する。
【図１】ロックデバイスとして構成され、フレームアダプター上に配置されている第１の継手部とキャリアデバイスとして構成されている第２の継手部とを備えている連結具を示す側面図である。
【図２】第２の継手部を除いた図１のロックデバイスを示す分解斜視図である。
【図３】閉じた状態にある複数の引き出しを備えている家具を示す斜視図である。
【図４】開いた状態にある引き出しを備えている図３の家具を示す斜視図である。
【図５】図４の引き出しのうちの１つを示す斜視図である。
【図６】ロックデバイスとキャリアデバイスとを有した連結具を備えている、前側パネルを除いた図５の引き出しを示す図である。
【図７】ロックデバイスはあるがキャリアデバイスは除かれている、前側パネルのない図５の引き出しを示す図である。
【図８】フレーム壁が部分的に隠されている、ロックデバイスとキャリアデバイスとを備えているフレームの一部を示す斜視図である。
【図９】図１の構成を示す背面図である。
【図１０】キャリヤ部分の挿入開始時の図１の構成を示す側面図である。
【図１１】キャリアデバイスの挿入時におけるフレームアダプターを除いた図１の連結具を示す側面図のうちの１つであり、時間の経過につれて撮られる一連のスナップ写真のうちの１つを提示すことにより、キャリヤ部分をロック部分にマウントするときの移動シーケンスを示している。
【図１２】キャリアデバイスの挿入時におけるフレームアダプターを除いた図１の連結具を示す側面図のうちの１つであり、時間の経過につれて撮られる一連のスナップ写真のうちの１つを提示すことにより、キャリヤ部分をロック部分にマウントするときの移動シーケンスを示している。
【図１３】キャリアデバイスの挿入時におけるフレームアダプターを除いた図１の連結具を示す側面図のうちの１つであり、時間の経過につれて撮られる一連のスナップ写真のうちの１つを提示すことにより、キャリヤ部分をロック部分にマウントするときの移動シーケンスを示している。
【図１４】キャリアデバイスの挿入時におけるフレームアダプターを除いた図１の連結具を示す側面図のうちの１つであり、時間の経過につれて撮られる一連のスナップ写真のうちの１つを提示すことにより、キャリヤ部分をロック部分にマウントするときの移動シーケンスを示している。
【図１５】キャリアデバイスが除かれている、リリース位置におけるロックデバイスを示す図である。
【図１６】図１２の連結具を示す背面図である。
【発明を実施するための形態】
【０００８】
図１に示されているように、全ての連結具１は、互いに係合させることができる２つの対応する機能ユニット、すなわちキャリアデバイス２と、このキャリアデバイス２と着脱可能に係合させることができるロックデバイス３とを備えている。
キャリアデバイス２は、引き出し５の前側パネル４として構成されるのが好ましい（図３〜図５を参照）第１のパネル形状の家具アイテムに固定される。前記の引き出し５は、家具７の家具本体６の中に挿入することができる。家具本体６から引き出し５を開放位置にまで引き出すことができ、また、開放位置から閉鎖位置にまで押し込むことができるように（図３および図４を参照）、引き出し５を家具本体６の中で移動可能に案内することができる。
それに対して、ロックデバイス３（図２、図６、図７、図８を参照）は、引き出し５の側面フレーム８として構成されるのが好ましい第２のパネル形状の家具アイテムに固定するように構成されている。この場合、側面フレームのパネル形状は金属製の二重壁カバー９により実現される。この金属製の二重壁カバー９は、１つ以上のフレームアダプター１０上に配置して、当該１つ以上のフレームアダプター１０に公知の方法、たとえばネジ、外れ止め（ｌａｔｃｈ）手段などの如き取付手段によって固定することができる。さらに、フレームアダプター１０は、引き出しの底部１１（図６）を取付用異形形状部１２（図２）上で受けるために、また、引き出しを家具本体上で移動可能に案内させるためのレール構造体（図示せず）を配置するために用いられる。
【０００９】
好ましくは、各引き出しは、２つのフレーム８と、２つの連結具１とを備えることにより、前側パネル４が、２つのキャリアデバイス２を介して、それに対応する２つの側面フレーム８上のロックデバイス３と、取付（マウントされた）状態で、２つの領域において接続可能となっているまたは接続されるようになっている。
キャリアデバイス２の構成は、本発明の範囲内において略自由である。しかしながら、キャリアデバイス２は、少なくとも第１のパネル形状の家具アイテム（たとえば、前側パネル４）に固定可能となっていなければならないし、また設置位置において水平方向に延びる接触要素、たとえば適切な凹部またはピン１３を有していなければならない。
ロックデバイス３は、ベースユニット（図２も参照）、好ましくはベース角部材１４を備えている。ベース角部材１４の脚（脚部１５ａ、１５ｂ）は、設置位置において上面となるフレームアダプター１０の取付面１６にたとえば溶接によって固定される。当該固定は、ネジの如き他の接続手段によって実現されてもよい。さらに、ベースユニットがフレームアダプター１０と一体成型されるようになっていてもよい（これら両方はここには図示されていない）。
【００１０】
重要なことは、用語「の上（方）」、「の下（方）」が一般的な限定を有するものとして理解されるべきではないという点である。むしろ、これらの用語は、図２に示されているような、従来の家具の設置および構造上の位置に対するものである。
また、ここでは、脚（図２）は、２つの脚部１５ａ、１５ｂに細分されている。２つの脚部１５ａ、１５ｂの間には、異形部材の受入れを可能とするさらなる機能要素である自由空間が存在する（ここでは詳細には説明しない）。
取付面１６は、前側部分、すなわちキャリアデバイス２側の部分に開口部１７を有している。ロックデバイス３の機能要素は、フレームアダプター１０の中に開口部１７を通って突出するようになっている。この機能要素については、以下でさらに詳細に説明する。
フレームアダプター１０は、前側パネルの平面に対して垂直の方向に沿って見た場合、略Ｕ字形状の断面を有している。好ましくは、フレームアダプター１０は金属製のシートを曲げて形成され、取付面１６はＵ形状の短い脚部から形成される。それに加えて、取付用異形形状部１２は、フレームアダプター１０から引き出しの底部１１に向かって突出している。２つの長い脚部１８、１９の間には自由空間２０が形成されている。前記の自由空間２０は、ユーザーが自分の指を下方からその中に入れて係合することができるような寸法に形成されている。
【００１１】
脚部１５ａ、１５ｂは、取付面１６に対して直角に延びる取付ベース部２１を備えている。取付ベース部２１にはロックレバー２２が移動可能にリンクされており、ロックレバー２２はリリース位置からロック位置へ移動可能となっている。
好ましくは、ロックレバー２２は、フレーム内に常に完全に位置し、ロックデバイス３のいずれの部分も前側パネル４の中にまで延びない。
ロックレバー２２はフック部２３を有し、該フック部２３はそれに対応するキャリアデバイス２上の接触部、好ましくはピン１３を裏側から係合するために用いられる。ロックレバー２２は、一方側が取り付けられるレバーとして構成されている。前側パネル４から離れた位置にある前述の一方側には、ピボット軸受２４が設けられる。好ましくは、この領域におけるロックレバー２２の開口部４５は、取付ベース部２１の細長い開口部２６を貫通するのが好ましいピン２５によって貫通される。
【００１２】
開口部２６は、ピン２５が遊びを持って開口部２６を貫通することができるように、どのような場合にもピン２５の直径よりＸ方向において非常に大きい寸法を有している。
取付用異形形状部２７、４９は、取付ベース部２１およびロックレバー２２にフックのように形成され、これらの取付用異形形状部２７、４９には、バネ（この場合、コイルバネ２８）の端部がマウントされて、取付用の円弧を構成しうる。コイルバネ２８は殆ど水平方向に配置される。コイルバネ２８の両端のうちの一方の端部は、取付ベース部２１の凹部４６における好ましくは開口部２６の上方の部分の取付位置で固定され、また、他方の端部は好ましくはピン２５とフック部２３との間のほぼ中間に配置される。
このようにして、コイルバネ２８はロックレバー２２を上側のロック位置に引き上げる。この上側のロック位置では、（フック形状の部分がキャリヤ部またはキャリアデバイス２の接触部に裏側から係合すると、）一方の平板状の構成部材が他方の平板状の構成部材に固定される。すなわちこの場合、前側パネル４が１つの側面フレーム８に固定される。
開口部２６において、ピン２５がスロット形状の開口部２６の後側内面上に遊びを持って軸受けされているので、ロックレバー２２のピン側の端部は、開口部２６の中で、とくに側面フレーム８に対して平行な方向にまたは前側パネル４に対して直角な方向にわずかに移動することができるようになっている。
【００１３】
このことは非常に有益である。というのは、記載の手法を用いることにより、前側パネルに対する激しい衝撃が最大限の勢いで側面フレーム８に対して直接伝達されることが回避されることになるからである。もっと正確にいえば、軸受けの遊びとバネ２８との間の相互作用によって衝撃の力積から運動エネルギーが差し引かれることになる。このように、本発明にかかる連結具１を用いることにより、側面フレーム構造に対して、また連結具１のキャリアデバイス２のピン部４２、４３による前側パネル４の固定に対して損傷を与えてしまう可能性を減らすことが容易にできるようになる。
ピボット軸受２４内の遊びが、少なくとも一つの方向に、好ましくは取付方向、すなわちこの場合「Ｘ方向」（図１）に０．３〜３ｍｍの範囲、とくに好ましくは０．５〜２ｍｍの範囲であると有利である。この遊びは、開口部２６及び/又はピン２５とロックレバー２２との間の接続領域に形成されうる。 
ロックデバイス３に統合されているリリースレバー２９は、図１に示されているように、接続位置からロックレバー２２を解放するために用いられる。
【００１４】
リリースレバー２９は、側面視の形状がＬ形状であることが好ましい。リリースレバー２９は、レバーアーム３０と、当該レバーアーム３０に対してある角度、この場合ほぼ直角をなして位置するリリースアーム３１とを有している。さらにこの場合、リリースアーム３１は、側面視に対して直角な方向に沿って見た場合、非線形状の構成を有している。制御面５１は、レバーアーム３０とリリースアーム３１とに囲まれた角度でレバーアーム３０とリリースアーム３１との間に配置されており、この制御面５１は、ロックデバイス３の開放位置ではほとんど直角に配置されている。
有利なことには、レバーアーム３０の端部は、取付ベース部２１において、好ましくは前側パネル４の近傍に、またはキャリアデバイス２のうちのフック部２３に近い部分の近傍に、ピン３２を取付ベース部２１およびリリースレバー２９のそれぞれの開口部３４および３６に貫通させることによりリンクされる。取付ベース部２１には円弧形状の結合リンク４４が配置され、この円弧形状の結合リンク４４は、ロックレバー２２に形成されている角度を有した結合リンク５０と重なっている。これらの結合リンク４４、５０は、ピン３３が両方の結合リンク４４、５０を貫通し、また開口部３４，３６における軸受けにより形成される回転の中心からピン３３がある距離移動可能なように重なっている（この場合、有利には、移動可能距離が、取付ベース部２１の材料が２重になっている領域と一致し、この配置を安定化させる）。角度を有した結合リンク５０により、乗越え可能な死点が形成され、リリースレバー２９の開口部３５には、ピン３３が配置される。さらに、ピン３３にはヘッド３８が設けられているので、ロックレバー２２が開放位置とロック位置との間で移動する際、ロックレバー２２が取付ベース部２１の結合リンク４４内で安全に案内される。
リリースアーム３１は、開口部１７を通って下方に向かって自由空間の中まで突出し、この自由空間において指でつかむことができるようになっている。
【００１５】
外れ止め（ｌａｔｃｈｉｎｇ）する際、すなわちキャリアデバイス２を挿入する際、リリースレバー２９の制御面５１がピン１３からの作用を受けるので、ピン３３は、角度を有した結合リンク５０の死点位置を乗り越えて移動する。その結果、ロックレバー２２が、解放され、コイルバネ２８の力によって上方に向けて回転され、ピン１３が裏側から係合される。
図７には、二重壁カバー９が、キャリアデバイス２のパネル調節装置への側面からのアクセスを可能とするための側面開口部４８を有しうることが示されている。
リリースアーム３１をキャリアデバイス２または前側パネル４の方向に向けて引くと、バネ２８の力に抗して、ロックレバー２２がロック位置または上側位置から開放位置または下側位置へと引かれる。
好ましくは、ロックレバー２２は、リリースレバー２９上のピン３３が角度を有した結合リンク５０の死点を乗り越えることができる程度に回転可能となっており、その結果、ロックレバー２２はこの状況で移動した後に開放位置のまま留まることができる。このことにより最終組立てが容易になる。というのは、前側パネル４のキャリアデバイス２をまずロックデバイスの取付位置に持ってくることができるからである。前側パネル４に対して加えられるＸ方向とは反対向きの力が十分に大きいと、キャリアデバイス２は、制御面５１上のピン１３によってリリースレバー２９を移動させ、それにより、ピン３３が角度を有した結合リンク５０の死点位置の向こう側まで移動され、その結果、ロックレバー２２がバネ２８によってロック位置まで引かれ、フック部２３がキャリアデバイス２の接触部（この場合、ピン１３）と裏側から係合するようになる。
弾性があり自動的に復元可能なプラスチックシュー３９をリリースレバー２９の自由下端部（すなわち、リリースアーム３１）、この場合リリースレバー２９のオフセット部へ取り付けることができる。このプラスチックシューにより、リリースレバー２９を握った際の感じがさらに快適なものとなる。好ましくは、プラスチックシュー３９はさらなる機能を有している。
【００１６】
滑り面５２が、プラスチックシューのハンドル面５３と安全面４０との間の角領域に配置されている。リリースアーム３１を引くと、この滑り面は、まずロックレバー２２の角領域４１に当たり、明白に知覚可能でかつ十分に高い力が加えられたときのみ、すなわちプラスチックシュー３９がバネ力に対抗して回転するときのみ、角領域４１を滑って乗り越えることができるようになる。
プラスチックシュー３９の回転が角領域４１を乗り越えるのに必要であるので、ユーザーによるリリースレバー２９の操作がないとき、たとえば前側パネル４に対する衝撃荷重だけでロックレバー２２がロック位置から誤って解放されないようにさらなる安全デバイスが実現される。この安全デバイスでは、プラスチックシュー３９、この場合安全面４０がリリースレバー２２の下側縁部に当たるので、安全面４０は、結合状態のリリースレバーがキャリアデバイス２のピン１３をフック部２３から解放することができる程度にまでリリースレバー２９を回転させることはできない。
この接続はとくに図１０〜図１５および図１から明らかである。これらの図は、フレームアダプターのある（図１０、図１）およびフレームアダプターのない（図１１、図１２、図１３、図１４、図１５）図１の連結具を示す側面図である。キャリヤ部分２をロック部３にＸ方向（図１を参照）に向けて取り付ける際の一連の動きが一連のスナップショット（図１０、図１１、図１２、図１３、図１４、図１、図１５）で示されており、とくに、プラスチックシュー３９を角領域４１に外れ止めする図が示されている。
キャリヤ部２を前側パネル４の開口部にこの場合は複数の合せくぎの様なピン部４２、４３のうちの１つで（締め付けおよび／または接着により）固定することができることに留意されたい。それに代えて、キャリヤ部２を前側パネル４に他の方法、たとえばネジにより固定することも可能である（ここには、図示せず）。この接続は、上述の発明にかかる装置によってその負荷が相当に軽減される。したがって、家具の機能上の寿命が延びる。
【符号の説明】
【００１７】
１  連結具
２  キャリアデバイス
３  ロックデバイス
４  前側パネル
５  引き出し
６  家具本体
７  家具
８  側面フレーム
９  二重壁カバー
１０  フレームアダプター
１１  引き出し底部
１２  取付用異形形状部
１３  ピン
１４  ベース角部材
１５ａ、１５ｂ  脚部
１６  取付面
１７  開口部
１８、１９  脚
２０  自由空間
２１  取付ベース部
２２  ロックレバー
２３  フック部
２４  ピボット軸受
２５  ピン
２６  開口部
２７  取付用異形形状部
２８  コイルバネ
２９  リリースレバー
３０  レバーアーム
３１  リリースアーム
３２、３３  ピン
３４〜３７  開口部
３８  ヘッド
３９  プラスチックシュー
４０  安全面
４１  角領域
４２、４３  ピン部
４４  結合リンク
４５  開口部
４６  凹部
４７、４８  開口部
４９  取付用異形形状部
５０  結合リンク
５１  制御面
５２  滑り面
５３  ハンドル面
【図１】
0005932822.tif 000002
【図２】
0005932822.tif 000003
【図３】
0005932822.tif 000004
【図４】
0005932822.tif 000005
【図５】
0005932822.tif 000006
【図６】
0005932822.tif 000007
【図７】
0005932822.tif 000008
【図８】
0005932822.tif 000009
【図９】
0005932822.tif 000010
【図１０】
0005932822.tif 000011
【図１１】
0005932822.tif 000012
【図１２】
0005932822.tif 000013
【図１３】
0005932822.tif 000014
【図１４】
0005932822.tif 000015
【図１５】
0005932822.tif 000016
【図１６】
0005932822.tif 000017